(57)【要約】【課題】長年白熱灯、蛍光灯が主流の照明器具をＬＥＤ及び時期発光体を安価で容易に設置しゴミの減量、電力の節約、ＣＯ２削減、地球温暖化防止に貢献する事を課題としてる。【解決手段】課題を解決する手段として、蛍光管と同サイズの本体を使用し、その適度な位置にソケットの入るホールをもうけ、そのホールにソケットを固定し配線を両端に出し電源接続ピンの差込まれたエンドキャップに結線し、本体の両端に差込む構成から課題を解決する事を目的とする。【選択図】図１
2012004091.tif 000002
【特許請求の範囲】
【請求項１】
蛍光管同等の本体及び分離した単体本体にソケットを備え可動部に取りつけることにより角度を変え照射部を変化調整でき端部に電源キャップを取り付け直接電源を引き込みＬＥＤなど高性能省エネルギー発光体を取りつける構成からなる照明器具変換アダプタ。
【発明の詳細な説明】
【技術分野】
【０００１】本発明は、節電高性能照明器具に関する。
【背景技術】
【０００２】従来、白熱灯が発明され蛍光管が出て長年照明の基本であった。
【発明が解決しようとする課題】
【０００３】近年、温暖化ＣＯ２排出の問題が世界規模での課題になり広く衆知されエコに関心が集り、照明に関してもＬＥＤなど次期発光体の省エネ高寿命が認められ開発が進められているが出始め為、規格も定まらない状態であり、特に蛍光管からのＬＥＤなどの変換に関してはメーカー機種により安定器電源のばらつきがあり巧く安定点灯しないものも多く、どのメーカーどの機種にも適用できる照明器具変換アダプタを本発明により提供する。
【課題を解決するための手段】
【０００４】上記課題を解決する手段として解りやすく１灯用蛍光器具を例に進めるが、これに固定するものでは無くワット数値、機種など多種多様に使えるものである。まずは設置済みの器具からの取付にあたり、蛍光管を外し不用になる各安定器に接続される配線を切りそれら配線を直に結線しておき、又、スタータ式の場合はそれも結線しておく。
【０００５】外された蛍光管のサイズと同等のパイプ及びフレームにてなる基本形本体（１）もちい蛍光管の両端にある電源接続ピンを同じように備えるエンドキャップ（４）もうける。その基本形本体（１）に必要な明るさに応じてＬＥＤ球など発光体の入る数を決めソケット（２）を組付けエンドキャップ（４）にある電源接続ピンとを結線し基本形本体（１）に収める。以下、図示説明し易いように２個のソケットを備えたもので説明を進める。
【発明を実施するための形態】
【０００６】本発明の実施の形態について図面を参照し詳細説明する。図１は基本アダプタ斜視図であり基本本体（１）の形状は丸、三角、四角、異形でも使用出来るが、解りやすく丸パイプにて示した図であり使用蛍光管と同サイズであり、材質はプラスチック、金属、問わないが軽量、放熱効果のあるアルミなどをもちい、その適度な位置にソケット（２）の入るホールをもうけた物である。
【０００７】上記にて、ホールを備えた基本本体（１）にソケット（２）をそれぞれ固定し配線を両端に出しておき、電源接続ピンの差込まれたエンドキャップ（４）をそれぞれ結線し、基本本体（１）の両端に差込み固定する。
【０００８】本体の基本的構造はこれで最小限使用でき、シンプルに組上げる事により故障の原因を最大限に防ぐ事ができる。
【０００９】次ぎに器具への取付になるが、特別な事はなく、通常の蛍光管の交換と何ら変らず装着でき本体に設けたソケットに一般市販されているＬＥＤ球及び次期発光体などを取り付ければ簡単に点灯させる事ができる。
【００１０】次ぎに基本構造の本体を用途により多用使用例に進むが器具の設置場所によりソケット部を可動させ照点を動かせる可動ソケット受け（５）をもうけ、ソケット（２）を取付けエンドキャップ（４）とを結線することにより可動を成せる図２可動ソケットアダプタ斜視図である。
【００１１】更に器具によってはカバー、シェードなどアダプタ本体の高さスペースの制約のある器具への実施において、図３は小スペースアダプタ側面図であり、たとえば道路電柱などに設置してある防犯灯などに使用する為にソケット部取付けに角度を付け、発光部をねかせる傾斜取付けフレーム（６）を用いそれにソケット（２）を取付エンドキャップ（４）とを結線する事により小スペースの器具においても使用できる例である。
【００１２】上記の使用例をふまえ小スペースになった本発明の照明器具変換アダプタ本体は直線的のみならずリング状にすることによりシーリングなどの丸型器具の丸型蛍光管にも交換設置することが容易であり内部に収まり目に付かないものなどは安価な板を成形したフレームにてそれをなすことも出来る。（図示せず）
【００１２】更に連なった本体はもたず、分離した単体の独立ソケット（６）を用いる事により１個でも実施できる。図４独立ソケットアダプタ側面図参照
【００１３】次ぎに新規器具に本発明の照明器具変換アダプタを実施する場合に移るが手順は設置済みと変わらないが新規の場合、安定器及びグローソケットなど蛍光灯用変換部品がいっさい不用になりコストダウンにつながり、まだ高価なＬＥＤや次期発光体の使用の助けなり、新設計の器具は勿論、現行の器具においても改良設変せずとも容易に実施できるのでイニシャルコストも無用にできる。
【発明の効果】
【００１５】本発明の照明器具変換アダプタを実施した場合、まだまだ高価で未知数のＬＥＤ及び次期発光体を容易に安価に提供でき現行設置済みの器具においてもそのまま実施できるので無駄な廃棄物を出さずゴミの減量、電力の節約、ＣＯ２削減、地球温暖化防止に貢献する事となり簡単に設置できるので、かなりの需要が見込まれ、広く普及され社会貢献できると思われる。
【図１】
2012004091.tif 000003
【図２】
2012004091.tif 000004
【図３】
2012004091.tif 000005
【図４】
2012004091.tif 000006
【手続補正書】
【提出日】平成22年8月3日(2010.8.3)
【手続補正１】
【補正対象書類名】明細書
【補正対象項目名】全文
【補正方法】変更
【補正の内容】
【発明の詳細な説明】
【技術分野】
【０００１】本発明は、節電高性能照明器具に関する。
【背景技術】
【０００２】従来、白熱灯が発明され蛍光管が出て長年照明の基本であった。
【発明が解決しようとする課題】
【０００３】近年、温暖化ＣＯ２排出の問題が世界規模での課題になり広く衆知されエコに関心が集り、照明に関してもＬＥＤなど次期発光体の省エネ高寿命が認められ開発が進められているが出始め為、規格も定まらない状態であり、特に高輝度照明や蛍光灯からのＬＥＤなどの変換に関してはメーカー機種により安定器電源のばらつきがあり巧く安定点灯しないものも多く、どのメーカーどの機種にも適用できる照明器具変換アダプタを本発明により提供する。
【課題を解決するための手段】
【０００４】上記課題を解決する手段として解りやすく１灯用蛍光灯器具を例に進めるが、これに固定するものでは無くワット数値、機種など多種多様に使えるものである。まずは設置済みの器具からの取付にあたり、蛍光管を外し不用になる各安定器に接続される配線を切りそれら配線を直に結線しておき、又、スタータ式の場合はそれも結線しておく。
【０００５】外された蛍光管のサイズと同等のパイプ及びフレームにてなる基本形本体（１）もちい蛍光管の両端にある電源接続ピンを同じように備えるエンドキャップ（４）もうける。その基本形本体（１）に必要な明るさに応じてＬＥＤ球など発光体の入る数を決めソケット（２）を組付けエンドキャップ（４）にある電源接続ピンとを結線し基本形本体（１）に収める。以下、図示説明し易いように２個のソケットを備えたもので説明を進める。
【図面の簡単な説明】
【０００６】
【図１】本発明の基本アダプタ斜視図
【図２】本発明の可動ソケットアダプタ斜視図
【図３】本発明の小スペースアダプタ側面図
【図４】本発明の独立ソケットアダプタ側面図
【図５】本発明の蛍光管形アダプタ側面図及び組立て側面図
【図６】本発明のリング円形アダプタ側面図
【発明を実施するための形態】
【０００７】本発明の実施の形態について図面を参照し詳細説明する。図１は基本アダプタ斜視図であり基本本体（１）の形状は丸、三角、四角、異形でも使用出来るが、解りやすく丸パイプにて示した図であり使用蛍光管と同サイズであり、材質はプラスチック、金属、問わないが軽量、放熱効果のあるアルミなどをもちい、その適度な位置にソケット（２）の入るホールをもうけた物である。
【０００８】上記にて、ホールを備えた基本本体（１）にソケット（２）をそれぞれ固定し配線を両端に出しておき、電源接続ピンの差込まれたエンドキャップ（４）をそれぞれ結線し、基本本体（１）の両端に差込み固定する。
【０００９】本体の基本的構造はこれで最小限使用でき、シンプルに組上げる事により故障の原因を最大限に防ぐ事ができる。
【００１０】次ぎに器具への取付になるが、特別な事はなく、通常の蛍光管の交換と何ら変らず装着でき本体に設けたソケットに一般市販されているＬＥＤ球及び次期発光体などを取り付ければ簡単に点灯させる事ができる。
【００１１】次ぎに基本構造の本体を用途により多用使用例に進むが器具の設置場所によりソケット部を可動させ照点を動かせる可動ソケット受け（５）をもうけ、ソケット（２）を取付けエンドキャップ（４）とを結線することにより可動を成せる図２可動ソケットアダプタ斜視図である。
【００１２】更に器具によってはカバー、シェードなどアダプタ本体の高さスペースの制約のある器具への実施において、図３は小スペースアダプタ側面図であり、たとえば道路電柱などに設置してある防犯灯などに使用する為にソケット部取付けに角度を付け、発光部をねかせる傾斜取付けフレーム（６）を用いそれにソケット（２）を取付け、エンドキャップ（４）とを結線する事により小スペースの器具においても使用できる。
【００１３】上記の使用例をふまえ小スペースになった本発明の照明器具変換アダプタ本体は直線的のみならずリング状ならび円形にすることによりシーリングや水銀灯などの丸型器具にも交換設置することが容易であり内部に収まり目に付かないものなどは安価な板を成形したフレームにてそれをなすことを図６リング円形アダプタ側面図にて示している。
【００１４】更に連なった本体はもたず、分離した単体の独立ソケット（６）を用いる事により１個でも実施できる。図４独立ソケットアダプタ側面図参照。
【００１５】上記においてＬＥＤ及び発光体（３）を水平に使用する場合は図５蛍光管形アダプタ側面図及び組立て側面図で示す、透光パイプ（９）をもちい、中に反射板（１０）を差込み、ＬＥＤ及び発光体（３）にエンドキャップ（４）とを結線し、水平に対向し両端に取付ける事により、下部へ照射でき従来の蛍光管と同じ形状にて更に小スペースも可能に出来る。
【００１６】次ぎに新規器具に本発明の照明器具変換アダプタを実施する場合に移るが手順は設置済みと変わらないが新規の場合、安定器及びグローソケットなど蛍光灯用変換部品がいっさい不用になりコストダウンにつながり、まだ高価なＬＥＤや次期発光体の使用の助けになり、新設計の器具は勿論、現行の器具においても改良設変せずとも容易に実施できるのでイニシャルコストも無用にできる。
【発明の効果】
【００１７】本発明の照明器具変換アダプタを実施した場合、まだまだ高価で未知数のＬＥＤ及び次期発光体を容易に安価に提供でき現行設置済みの器具においてもそのまま実施できるので無駄な廃棄物を出さずゴミの減量、電力の節約、ＣＯ２削減、地球温暖化防止に貢献する事となり簡単に設置できるので、かなりの需要が見込まれ、広く普及され社会貢献できると思われる。
【符号の説明】
【００１８】１      基本形本体
２      ソケット
３      ＬＥＤ及び発光体
４      エンドキャップ
５      可動ソケット受け
６      傾斜取付けフレーム
７      独立ソケット
８      器具
９      透光パイプ
１０    反射板
１１    リング円形ソケット台
【手続補正２】
【補正対象書類名】図面
【補正対象項目名】図５
【補正方法】追加
【補正の内容】
【図５】
2012004091.tif 000007
【手続補正３】
【補正対象書類名】図面
【補正対象項目名】図６
【補正方法】追加
【補正の内容】
【図６】
2012004091.tif 000008
【手続補正書】
【提出日】平成22年9月3日(2010.9.3)
【手続補正１】
【補正対象書類名】明細書
【補正対象項目名】０００４
【補正方法】変更
【補正の内容】
【０００４】上記課題を解決する手段として解りやすく１灯用蛍光灯器具を例に進めるが、これに固定するものでは無くワット数値、機種など多種多様に使えるものである。まずは設置済みの器具からの取付にあたり、蛍光管を外し、一般交流電源を直接現存器具のソケットに接続する事で、本体内蔵のグロースタータ式、ラピット式、インバター式やその他の電源部を一切不用にできる。
【手続補正２】
【補正対象書類名】明細書
【補正対象項目名】００１０
【補正方法】変更
【補正の内容】
【００１０】次ぎに器具への取付になるが、特別な事はなく、通常の蛍光管の交換と何ら変らず装着でき本体に設けたソケットに一般市販されているＬＥＤ球及び次期発光体など、発光に最良の電源を送る電源部は予め発光部と一体の調節済みの物を用いる事で器具本体の電源部の面倒な調節を無用にでき、簡単に点灯させる事ができる。
【手続補正３】
【補正対象書類名】明細書
【補正対象項目名】００１５
【補正方法】変更
【補正の内容】
【００１５】上記においてＬＥＤ及び発光体（３）を水平に使用する場合は図５蛍光管形アダプタ側面図及び組立て側面図で示す、透光パイプ（９）をもちい、中に反射板（１０）を差込み、ＬＥＤ及び発光体（３）にエンドキャップ（４）とを結線し、水平に対向し両端に取付ける事により、透光パイプの内部に反射板を内蔵する事で横方向の光を下方に無駄無く照射し、パイプに内蔵してるので汚れも付き難くなり反射性能の低下を抑え、現存器具の外部反射板を不用にもでき、従来の蛍光管と同じ形状にて更に小スペースも可能に出来る。